【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
マイクロフォンとカラオケ装置とが一体化されて構成されるマイク付きカラオケ装置において、
遊戯者が操作するための操作部が設けられた本体と、
着脱可能にかつ前記操作部の操作に対応させて動作可能に本体に係止された動作部と、
カラオケ演奏用の音源データ及び所定の台詞を発生させるための音響データが格納されたメモリと、
前記操作部の操作状態を検出するスイッチと、
前記本体部に設けられ、前記マイクロフォンからの電気信号を増幅可能な音響生成装置と
を備え、
前記音響生成装置は、
前記メモリから読み取った前記音源データに基づいて音響信号を生成し、前記マイクロフォンから供給された電気信号と当該音響信号とを合成して音響を発生させることが可能に構成されると共に、前記スイッチにより前記操作部が操作されたことが検出された場合に、前記メモリから前記音響データを読み取って前記台詞を発生させることが可能に構成された
ことを特徴とするマイク付きカラオケ装置。
【請求項２】
マイクロフォンとカラオケ装置とが一体化されて構成されるマイク付きカラオケ装置において、遊技者が操作部を操作するのに対応させて動作可能に構成されている動作部を本体に備えていることを特徴とするマイク付きカラオケ装置。
【請求項３】
前記マイクロフォンからの電気信号を増幅可能な音響生成装置を前記本体に内蔵している請求項２に記載のマイク付きカラオケ装置。
【請求項４】
音源データを格納可能に構成されたメモリをさらに備え、前記本体の音響生成装置は、前記メモリから読み取った音源データに基づいて音響信号を生成し、前記マイクロフォンから供給された電気信号と当該音響信号とを合成して音響を発生させることが可能に構成されている請求項３に記載のマイク付きカラオケ装置。
【請求項５】
前記メモリには複数の音源データが格納され、前記本体の音源生成装置は、前記メモリに格納された複数の音源データのうちいずれかを選択的に読み取る制御回路と、前記制御回路によって読み取られた音源データに基づいて音響信号を生成する音源回路と、前記マイクロフォンから供給された電気信号と前記音源回路から供給された音響信号とを合成して出力するアンプと、を備えている請求項４に記載のマイク付きカラオケ装置。
【請求項６】
音響を選択するための選択スイッチを備え、前記制御回路は前記選択スイッチが操作されるたびに、前記メモリに格納されている複数の音源データのうちいずれかを選択して読み取り可能に構成されている請求項５に記載のマイク付きカラオケ装置。
【請求項７】
所定の台詞を発生させるための音響データを格納可能に構成されたメモリと、前記操作部の操作状態を検出するスイッチと、をさらに備え、前記本体の音響生成装置は、前記スイッチが操作されていると判断した場合に前記メモリから前記音響データを読み取って台詞を発生させることが可能構成されている請求項３に記載のマイク付きカラオケ装置。
【請求項８】
前記メモリには前記音響データが異なる台詞ごとに複数格納され、前記音響生成装置は、前記スイッチが操作されていると判断した場合に、前記複数の音響データのうちいずれかを選択的に読み取って当該音響データに基づく台詞を発生させる請求項７に記載のマイク付きカラオケ装置。
【請求項９】
前記メモリは、前記動作部に備えられている請求項４乃至請求項８に記載のマイク付きカラオケ装置。
【請求項１０】
前記メモリは読み取り書き込みが可能に構成され、前記本体は回線と通信可能に構成された通信装置をさらに備え、前記音響生成装置は前記通信装置を介して前記回線から受信した音響データを前記メモリに格納可能に構成されている請求項４乃至請求項９に記載のマイク付きカラオケ装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】  本発明の第２の課題は、複数の音響の変更が可能に構成されたマイク付きカラオケ装置を提供することである。
【手続補正５】
【補正対象書類名】明細書
【補正対象項目名】０００９
【補正方法】変更
【補正の内容】
【０００９】  本発明の第３の課題は、喋らすことができるマイク付きカラオケ装置を提供することである。
【手続補正６】
【補正対象書類名】明細書
【補正対象項目名】００１０
【補正方法】変更
【補正の内容】
【００１０】  本発明の第４の課題は、動作部を取り替えることにより音響や台詞の変更が可能に構成されたマイク付きカラオケ装置を提供することである。
【手続補正７】
【補正対象書類名】明細書
【補正対象項目名】００１１
【補正方法】変更
【補正の内容】
【００１１】  本発明の第５の課題は、通信によって音響の変更が可能に構成されたマイク付きカラオケ装置を提供することである。
【手続補正８】
【補正対象書類名】明細書
【補正対象項目名】００１２
【補正方法】変更
【補正の内容】
【００１２】【課題を解決するための手段】 上記第１〜第３の課題を解決する発明は、マイクロフォンとカラオケ装置とが一体化されて構成されるマイク付きカラオケ装置において、遊戯者が操作するための操作部が設けられた本体と、着脱可能にかつ前記操作部の操作に対応させて動作可能に本体に係止された動作部と、カラオケ演奏用の音源データ及び所定の台詞を発生させるための音響データが格納されたメモリと、前記操作部の操作状態を検出するスイッチと、前記本体部に設けられ、前記マイクロフォンからの電気信号を増幅可能な音響生成装置とを備え、前記音響生成装置は、前記メモリから読み取った前記音源データに基づいて音響信号を生成し、前記マイクロフォンから供給された電気信号と当該音響信号とを合成して音響を発生させることが可能に構成されると共に、前記スイッチにより前記操作部が操作されたことが検出された場合に、前記メモリから前記音響データを読み取って前記台詞を発生させることが可能に構成されている。
【手続補正９】
【補正対象書類名】明細書
【補正対象項目名】００１３
【補正方法】変更
【補正の内容】
【００１３】 また上記第１の課題を解決する発明は、マイクロフォンとカラオケ装置とが一体化されて構成されるマイク付きカラオケ装置において、遊技者が操作部を操作するのに対応させて動作可能に構成されている動作部を本体に備えていることを特徴とするマイク付きカラオケ装置である。本発明では、マイクロフォンからの電気信号を増幅可能な音響生成装置を前記本体部に内蔵している。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】  上記第２の課題を解決する発明は、音源データを格納可能に構成されたメモリをさらに備え、前記本体の音響生成装置は、前記メモリから読み取った音源データに基づいて音響信号を生成し、前記マイクロフォンから供給された電気信号と当該音響信号とを合成して音響を発生させることが可能に構成されている。音響信号や電気信号は音響の特殊効果処理をして出力するものでもよい。
【手続補正１２】
【補正対象書類名】明細書
【補正対象項目名】００１８
【補正方法】変更
【補正の内容】
【００１８】  上記第３の課題を解決する発明は、所定の台詞を発生させるための音響データを格納可能に構成されたメモリと、前記操作部の操作状態を検出するスイッチと、をさらに備え、前記本体の音響生成装置は、前記スイッチが操作されていると判断した場合に前記メモリから前記音響データを読み取って台詞を発生させることが可能構成されている。メモリは領域を分けることにより音響に関する音源データを格納するメモリと兼用させても、別個のメモリ素子であってもよい。
【手続補正１３】
【補正対象書類名】明細書
【補正対象項目名】００２０
【補正方法】変更
【補正の内容】
【００２０】  上記第４の課題を解決する発明では、例えば前記メモリは、前記動作部に備えられている。
【手続補正１４】
【補正対象書類名】明細書
【補正対象項目名】００２１
【補正方法】変更
【補正の内容】
【００２１】  上記第５の課題を解決する発明では、例えば前記メモリは読み取り書き込みが可能に構成され、前記本体は回線と通信可能に構成された通信装置をさらに備え、前記音響生成装置は前記通信装置を介して前記回線から受信した音響データを前記メモリに格納可能に構成されている。受信する音源データは音響に関するデータでも台詞に関するデータでもよい。
【手続補正１５】
【補正対象書類名】明細書
【補正対象項目名】００２３
【補正方法】変更
【補正の内容】
【００２３】  本体１００はスピーカ１０１、電源スイッチ兼ボリューム１０２、選択スイッチ１０３、取っ手１０４、押しボタン部１０５および係止部１１０などを備え、内部に図４に示すような構成の音響生成装置２１が内蔵されている。スピーカ１０１前部の筐体は網目構造になっており音響が送出しやすいようになっている。電源スイッチ兼ボリューム１０２はスイッチを兼用した可変抵抗器につまみをつけて構成され、一方向に回すことにより電源を投入させさらに音響を次第に大きくしていくことが可能になっている。選択スイッチ１０３は押しボタンになっており、押下するたびに異なるカラオケ演奏がされるようになっている。取っ手１０４は遊技者が把持可能に成形されている。押しボタン１０５は押下することにより動作部２００を動かすことが可能になっており、取っ手１０４を把持した手で操作できるように配置されている。本体１００内部には底部から電池１０６を着脱自在に装着することが可能になっている。
【手続補正１６】
【補正対象書類名】明細書
【補正対象項目名】００２４
【補正方法】変更
【補正の内容】
【００２４】  動作部２００はＴＶアニメーションなどで人気のあるキャラクタの形状に成形され、内部にマイク２０１および図４に示す音源ＲＯＭ３１０を備えている。動作部２００は、図２に示すように、その係止穴２０３に本体１００の係止部１１０が嵌合することにより、本体１００に着脱自在に装着することが可能になっている。すなわち本体１００の係止部１１０は動作部２００の係止穴２０３に挿入可能な形状に成形されている。
【手続補正１７】
【補正対象書類名】明細書
【補正対象項目名】００２５
【補正方法】変更
【補正の内容】
【００２５】  上記構成において、本体１００の係止部１１０を動作部２００の係止穴２０３に合わせて、突起部１１０に設けられた凸部１１８と係止穴２０３に設けられた凹部２０４とが噛み合うまで挿入すれば、動作部２００が本体１００に装着される。装着時と逆向きに一定の力で引っ張れば、凸部１１８と凹部２０４との嵌合がはずれ動作部２００を取り外すことができる。つまり動作部２００のみを本体１００からはずして他のキャラクタ形状をした動作部に取り替えることが可能になっている。また図２に示すように、係止部１１０の先端には端子群からなるコネクタ１２０が形成されている。また係止穴２０３の内部も端子群からなるコネクタ２０２が形成されている。係止部１１０と係止穴２０３とを嵌合、すなわち動作部２００を本体１００に取り付ければ、本体１００と動作部２００との電気的接続ができるようになっている。
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】